【手続補正書】
【提出日】令和1年9月20日(2019.9.20)
【手続補正１】
【補正対象書類名】明細書
【補正対象項目名】００３０
【補正方法】変更
【補正の内容】
【００３０】
また、前述したスライド板２４の縫製可能位置では、外側固定軸６０が、スライド板２４の拡径部２４Ｃ２内に配置されている。さらに、外側固定軸６０の前端部における外周部には、周方向全周に亘って、溝部６０Ｂが形成されている。そして、スライド板２４の長孔部２４Ｃ１の縁部が溝部６０Ｂ内に挿入されて、スライド板２４が左方向へスライドすることで、スライド板２４の糸通し位置へのスライドが許容される構成になっている。
【手続補正２】
【補正対象書類名】明細書
【補正対象項目名】００６６
【補正方法】変更
【補正の内容】
【００６６】
（状態Ｓ１について）
図１３における状態Ｓ１の行を参照すると、状態Ｓ１では、切換つまみ５４が正面視で反時計回りに回動されて、糸通し切換機構Ｃが糸通し状態にされている。
すなわち、糸通し切換機構Ｃでは、切換つまみ５４が反時計回りに回動されることで、切換つまみ５４と共に切換連動部材４８が支持軸４６の軸回りに回動される。このとき、切換連動部材４８の係合アーム４８Ｄが、切換部材４０の係合ピン４０Ａと係合して、切換部材４０が作動軸３８の軸回りを時計回りに回動する。これにより、切換部材４０と共に切換作動部材４２が作動軸３８の軸回りに回動して、切換作動部材４２に連結された連結ピン６６によって、外側固定軸６０が後方側へ移動される。
【手続補正３】
【補正対象書類名】明細書
【補正対象項目名】００７０
【補正方法】変更
【補正の内容】
【００７０】
（状態Ｓ２について）
図１３における状態Ｓ２の行を参照すると、状態Ｓ２では、切換つまみ５４が時計回りに回動されて、糸通し切換機構Ｃが縫製可能状態にされている。
すなわち、糸通し切換機構Ｃでは、切換つまみ５４が時計回りに回動されることで、切換つまみ５４と共に切換連動部材４８が支持軸４６の軸回りに回動される。このとき、切換連動部材４８の係合アーム４８Ｃが、切換部材４０の係合ピン４０Ａと係合して、切換部材４０が作動軸３８の軸回りを反時計回りに回動する。これにより、切換部材４０と共に切換作動部材４２が作動軸３８の軸回りに回動して、切換作動部材４２に連結された連結ピン６６が前方側へ移動される。
【手続補正４】
【補正対象書類名】明細書
【補正対象項目名】００７２
【補正方法】変更
【補正の内容】
【００７２】
また、この状態では、安全機構Ｅの判別リング７２が、切換部材４０と共に作動軸３８の軸回りを反時計回りに回動して、切欠き７２Ａの開口部が下方に開放された位置に配置される。換言すると、切欠き７２Ａが、作動軸３８の周方向において、検知レバー７６の第１レバー部７６Ｃと一致した位置に配置される。これにより、検知レバー７６における支持軸７４Ａの軸回りの回動が許可された状態になる（検知レバー７６が作動許可状態にされる）。
【手続補正５】
【補正対象書類名】明細書
【補正対象項目名】００９１
【補正方法】変更
【補正の内容】
【００９１】
１              ロックミシン
１０            上ルーパ
１０Ａ          上ルーパ受口
１０Ｂ          上ルーパ剣先
１２            下ルーパ
１２Ａ          下ルーパ受口
１２Ｂ          下ルーパ剣先
１４            ルーパ天秤
１４Ａ          上ルーパ糸掛け
１４Ｂ          下ルーパ糸掛け
１６            本体部
１６Ａ          上ルーパ糸挿入孔
１６Ｂ          下ルーパ糸挿入穴
１６Ｃ          上ルーパ糸排出管
１６Ｄ          下ルーパ糸排出管
１８            選択つまみ
１９            チューブ
２０            管用支持部材
２０Ａ，２０Ｂ  支持孔
２２            スライド管
２２Ａ          フランジ
２４            スライド板
２４Ｌ          保持部
２４Ａ          Ｕ溝
２４Ｂ          長孔
２４Ｃ          異形長孔
２４Ｃ１        長孔部
２４Ｃ２        拡径部
２４Ｄ          ピン
２６            スライド管バネ
２８            支持軸
３０            軸バネ
３２            上ルーパ導通管
３４            下ルーパ導通管
３６            スライド板支え
３６Ｐ          ピン
３６Ａ，３６Ｂ  通し孔
３６Ｃ          長孔
３６Ｄ          小孔
３８            作動軸
４０            切換部材
４０Ａ          係合ピン
４０Ｐ          ピン
４２            切換作動部材
４２Ａ          係合長孔
４２Ｐ          ピン
４４            作動バネ        
４６            支持軸
４８            切換連動部材
４８Ａ          ボス
４８Ｂ          切換アーム
４８Ｃ          係合アーム
４８Ｄ          係合アーム
５０            受け部材
５２            Ｅリング
５４            切換つまみ
５６            ルーパ天秤案内
５６Ａ、５６Ｂ  丸孔
６０            外側固定軸
６０Ａ          長孔
６０Ｂ          溝部
６０Ｃ          後端
６２            内側固定軸
６４            軸バネ
６６            連結ピン
６８            主軸
６９            主軸固定板
６９Ａ          切欠き
７２            判別リング
７２Ａ          切欠き
７４            カバー検知台
７４Ａ          支持軸
７４Ｂ          腕
７４Ｃ          通し孔
７６            検知レバー
７６Ａ          支持孔
７６Ｂ          ボス
７６Ｃ          第１レバー部
７６Ｄ          作動アーム
７６Ｅ          第２レバー部
７６Ｆ          ストッパ
７８            検知レバーバネ
８０            ルーパカバー開閉検知軸
８０Ａ          右端
８２            付勢バネ（カバー検知軸バネ）
８３            Ｅリング
８４            スイッチ
８４Ａ          作動突起
８６            スイッチ台
９０            ヒンジ機構
９２Ｌ，９２Ｒ  固定ヒンジ部
９３            切欠き部
９４            ヒンジ軸
９６            ヒンジバネ（ルーパカバーバネ）
９７            Ｅリング
９８            メスカバーバネ
１００          サイドカバー開閉検知軸
１０２          検知バネ
１０４,１０６   Ｅリング
１１０          ルーパカバー
１１０Ａ        カバー部
１１０Ｂ        延長部
１１０Ｌ        ヒンジ部
１１０Ｒ        ヒンジ部
１１０Ｃ        リブ
１１０Ｄ        フック（押圧部）
１１０Ｅ        ガイド
１１０Ｆ        左端面
１１０Ｇ        左端面
１２０          メスカバー
１２０Ｌ        ヒンジ部
１２０Ｒ        ヒンジ部
１２０Ａ        フック
１２０Ｂ        左端
１２０Ｃ        段差部
１３０          サイドカバー
１３０Ａ        収容部
１３０Ｂ        固定部
１３０Ｃ        ストッパ
１３０Ｄ        検知軸押圧部
１３２          係止部材
１３２Ａ        フック部
１４０          ミシン本体
１４０Ａ        貫通孔
１４２          ユニット台
１４２Ａ        挿通孔
１４４          はずみ車
１４６          正面カバー
１４６Ａ        窓
１４８          ベルトカバー
１５０          下メス
１５２          上メス
１５３          針板
１５４          受け板
１５４Ａ        下面
１５６          ヒンジ部材
１５８          ミシン本体カバー
Ａ              ルーパ部
Ｂ              空気流路切換機構
Ｃ              糸通し切換機構
Ｄ              主軸固定機構
Ｅ              安全機構
Ｆ              カバー位置切換機構
ＴＨ１          上ルーパ糸
ＴＨ２          下ルーパ糸